(57)【特許請求の範囲】
【請求項１】
遊技盤に取り付けられるベースと、
該ベースに設けられた軸受に保持された回動軸を中心にして、起立姿勢の閉鎖位置と先端上がりの傾斜姿勢の開放位置とに回動変位する１枚の開閉扉と、
フラッパーソレノイドの電磁板に設けられて該フラッパーソレノイドによって駆動され、該フラッパーソレノイドに非通電のときには前記開閉扉を前記起立位置にロックし、該フラッパーソレノイドに通電された際には前記ロックを解除する駆動レバーと、
前記フラッパーソレノイドの電磁板に設けられて、前記遊技盤に垂直となる方向で前記ベースを貫通している開放孔に挿入された球抜棒にて押されると、前記フラッパーソレノイドに通電されたときと同様に前記駆動レバーを変位させる開放レバーと
を備えたことを特徴とする電動入賞装置。
【請求項２】
請求項１記載の電動入賞装置において、
前記開閉扉には該開閉扉を開放方向に付勢する錘が設けられていて、前記開閉扉は前記駆動レバーによる前記ロックが解除されると自重によって前記開放位置に変位することを特徴とする電動入賞装置。
【発明の詳細な説明】
【０００１】
【発明の属する技術分野】
本発明は、パチンコ遊技機やアレンジボール遊技機及び雀球遊技機等の電動入賞装置に関する。
【０００２】
【従来の技術】
第一種特別電動役物付遊技機（以後、第一種パチンコ機と称す）は遊技盤に設けられる特別図柄表示装置（以後図柄表示装置と称す）が第一種始動口（以後、ＧＯチャッカーと称す）に入賞して図柄変動を開始して規定時間後にその変動が停止する。
停止した図柄が大当たりとなったとき表示装置の下部に設けられる第一種特別電動役物（以後大入賞装置と称す）で特定入賞口が内部にあり、開放され大入賞装置は、規定時間後に閉鎖するかまたは規定個数の入賞で閉鎖し、この開放が規定回数を経たのちに終了すると言ったものである。又、終了後に図柄表示装置の確率を変化させる変動確率付第一種パチンコ機もある。
【０００３】
このほかにＧＯチャッカーに入賞させて電気的に作動させる入賞装置（以後、電動入賞装置と称す）があり、その作動を別に設ける普通図柄作動口（以後通過チャッカーと称す）と普通図柄表示装置（以後普通表示装置と称す）で作動させて、定められた図柄の表示で電動入賞装置の開放又は拡大したときの間隔が５５ｍｍ未満と定められた役物を取り入れたパチンコ機もある。
この第一種パチンコ機の図柄表示装置は、液晶表示装置やＬＥＤ表示装置を主に用いられ、拡大又は開放する電動入賞装置は、電動チューリップや電動アタッカー等が利用される。
電動チューリップや電動アタッカーは内部にプランジャ式ソレノイドが用られ通電で開放され非通電でその動作を終了するものである。
遊技盤に設けられる液晶表示装置は、普通４インチタイプが主流であるが近年６インチタイプの大型液晶表示装置が発表されるようになりその大型のため遊技釘の構成が困難になってきた。
このため遊技盤に取り付けられる各種電動入賞装置は使用するプランジャ式ソレノイド（以後指定がないときはソレノイドと称す）を横置きにして小型化をしたものが開発されている。
【０００４】
従来、電動入賞装置はソレノイドに付けられているスプリングで常時閉鎖状態に付勢されているか、開閉扉を直接スプリングで閉鎖方向に付勢されているので前面から容易に針金等で開放が可能であった。このことは事師達に容易に不正行為をさせる結果となりこの対策が望まれ、これに対して閉鎖状態にあるときはロックのかかるように更に開発された。
これも電動入賞装置の内部に遊技球が詰まったときにこれを解除するときは機械裏の機構盤をはずして処理をしなければならない。
この電動入賞装置は開放時間が定められているのでこの対処は困難を究め、ロックのかかる電動入賞装置は利用されなくなり、初期に開発された電動入賞装置を再び使用されるようになり、この電動入賞装置を使用したパチンコ機を設営する遊技場ではビデオカメラの監視にたよって管理をしているのが現状である。
【０００５】
【発明が解決しようとする課題】
前述の入賞装置等は作動形状に飽きられてきていることもあり特に電動チューリップは、羽根を用いて左右に開放する構造であるがゆえんに全体の長さが長くなり液晶表示装置が６インチタイプのものに移行しつつあるので天釘の位置が上に追いやられる結果となり、絶対条件の誘導レールと天釘間隔を保っていない。
図６の遊技盤８０でその詳細を述べれば遊技盤８０には、略中央に普通表示装置９３を備えた図柄表示装置８１が設けられその下に電動チューリップ８７とその更にしたに大入賞装置８２がそれぞれ縦の略中心線（非表示）に並べられ取り付けられている。
遊技盤８０には、略円形状に誘導レール９０とレールセット８６がはめ込まれその内側で中心より外側に上からランプ風車８５、風車８４、通過チャッカー９２、入賞口８３等が設けられている。
図柄表示装置８１の上部には天入賞口８９が設けられその上には、天釘８８が数本打ち込まれている（普通４〜５本）。
遊技球９１を発射すれば誘導レール９０の右した側から時計方向に飛球して放物線状の円弧を描いてレールセット８６の内側に落下する。
このとき誘導レール９０から円弧矢印Ｒで示す遊技球９１は４本の天釘８８の左側に当り略下方向に落球するか、又は略右上方向に跳ね上がる。
【０００６】
誘導レール９０と天釘８８との間隔矢印Ｐ、Ｑ間は最低約４．５個分の遊技球９１が並ぶ間隔を必要とする、これは放物線状の頂点に近い位置の遊技球９１は天釘８８に対して当たったときは、右側水平方向に跳ねるか又は、バック状態の跳ね返りになり天入賞口８９に入賞しにくくなる。
次に矢印Ｓ、Ｔの間隔は遊技球９１の２．５個分の間隔が最低ないと、左端の天釘８８にかする遊技球９１が天入賞口８９に入りにくくなる。
また図柄表示装置８１が上部方向に位置するように取り付けられた場合は、図示しなくても判るように遊技球９１は中心より外側のルートを散らばって通るようになり例えば遊技状態が大当たりとなって大入賞装置８２が開放したとき、時間当たりの入賞率を高めなければならないのに遊技球９１が外ルートでは入賞しにくくなってアウト球数が増えて全体の獲得遊技球数が減る傾向になってくる。
上述のような欠点の解決手段として電動チューリップ８７の入賞装置に替わって上下の幅が狭くできるアタッカー方式が採用されるようになってきた。
ところがアタッカー方式は、開閉させるための駆動方法において、プランジャ式ソレノイドを利用するのが一般的でしかも上下の寸法を縮める関係上横置きにしている。
【０００７】
たとえば、実開平７ー３７２６７に開示されるような構造であって、この構造でソレノイドを横置きにした場合はプランジャの動作をスムーズにさせるためのモリブデン等によるコーティングが施してあり、ソレノイドを横置きにした場合このコーティングが剥離してしてしまうと言う欠点が生じてくる。
当然のことながら作動時間の経過と共にモリブデンが剥離してプランジャは動作不安定となり、開放が遅れたり閉鎖が遅れたりして遊技規則で定められた均一な開閉動作ができなくなると共に多くの遊技球を入賞させたいと思う遊技者の心情に沿えなくなってくる。
プランジャ式ソレノイドは初動動作において吸引力は小さく終端では吸引力は大きく双曲線状態の駆動力を示すので、コーティングは剥離すると初動が遅れてくるようになる。
このことは遊技状においてたとえば、横置きソレノイド使用したアタッカーで特定入賞口を備えた第三種遊技機（第三種特別電動役物付遊技機）に使用した場合や、第一種遊技機の普通電動入賞口に使用した場合は開放時間が数秒と定められている。このとき実際の開放時間が少なくなると普段の入賞球数と異なり遊技客の不満となる。
【０００８】
また大当たりの権利の発生または大当たりの継続等の作動する特定入賞口に付いては入賞球が不足すると入賞率が落ちて大当たりの権利の発生または継続が生じにくくなることもある。
次にアタッカーの扉や電動チューリップの羽根は、いわゆる事師と言われる不正行為者によりガラスの隙間から針金等で、このアタッカーの扉や電動チューリップの羽根を無理に開放させて不正入賞球を得ると言ったことがあり、この事師の行う不正防止対策が過去に取られたことがあった。
この防止対策において、アタッカーの扉や電動チューリップの羽根は前面から開けられなくて裏から開放可能となっている。ところが、アタッカーや電動チューリップは内部で球詰まりが発生したときには表から開けられないので裏のカバーをはずしてソレノイドの首を引っ張って開け、玉詰まりを解除しなけばならない。このことは、遊技場においては大きな手間となって営業上マイナスの要因となり遊技機を外さなければならなかった。
【０００９】
【課題を解決するための手段】
請求項１の電動入賞装置は、遊技盤に取り付けられるベースと、該ベースに設けられた軸受に保持された回動軸を中心にして、起立姿勢の閉鎖位置と先端上がりの傾斜姿勢の開放位置とに回動変位する１枚の開閉扉と、フラッパーソレノイドの電磁板に設けられて該フラッパーソレノイドによって駆動され、該フラッパーソレノイドに非通電のときには前記開閉扉を前記起立位置にロックし、該フラッパーソレノイドに通電された際には前記ロックを解除する駆動レバーと、前記フラッパーソレノイドの電磁板に設けられて、前記遊技盤に垂直となる方向で前記ベースを貫通している開放孔に挿入された球抜棒にて押されると、前記フラッパーソレノイドに通電されたときと同様に前記駆動レバーを変位させる開放レバーとを備えたことを特徴とする。
【００１０】
請求項１の電動入賞装置では、フラッパーソレノイドに非通電のときには駆動レバーが開閉扉を起立位置にロックするので開閉扉は閉鎖位置から開放位置に変位できない。しかし、フラッパーソレノイドに通電された際には駆動レバーによるロックが解除されるので、開閉扉は閉鎖位置から開放位置に変位できる。
また、開放孔に挿入された球抜棒にて開放レバーを押せば、フラッパーソレノイドに通電されたときと同様に駆動レバーが変位させられるので、駆動レバーによるロックが解除され、開閉扉を開放位置にできる。
ガラス枠が閉止状態では入賞口の開放ができないが、遊技場の店員は常に玉抜棒と称する太さ１ミリ程度で略１０センチ長さの工具をもっているので、そのガラス枠を開放したときにだけ入賞口の開放を玉抜棒でロックを解除できる。
開閉扉を前面から開けらることができるから、内部で球詰まりが発生したときでも開閉扉を開けて玉詰まりを解除できる。
ガラス板と遊技盤面の間隔は普通１９ミリであり、不正行為を行うための針金等は遊技盤面に対して平行に挿入されるが、請求項１の構成では遊技盤面に対し直角に玉抜棒を差し込む構成であるので、針金等を開放孔に挿入して不正にロックを解除することができない。
【００１１】
また、請求項１の電動入賞装置では、駆動レバー及び開放レバーはフラッパーソレノイドの電磁板に設けられている。
この電動入賞装置は、弁式のフラッパーソレノイドを採用しているので耐久性の問題の解決ができる。プランジャ式のソレノイドは摺動面を有しているのでその摺動面にはモリブデン等の磨耗対策が施してあるが時間の経過で摺動するのでこのモリブデンが剥離すると言う欠点を有している、これに対しフラッパー式ソレノイドは、摺動面がないので長期の使用に耐えられる長所を備えている。
請求項２の電動入賞装置は、請求項１記載の電動入賞装置において、前記開閉扉には該開閉扉を開放方向に付勢する錘が設けられていて、前記開閉扉は前記駆動レバーによる前記ロックが解除されると自重によって前記開放位置に変位するので、開閉扉を開放するための動力は不要である。
【００１２】
【発明の実施の形態】
請求項１の電動入賞装置は、開放孔に球抜棒を挿入して開放レバーを押せば、ロックが解除されて開閉扉を開放位置にできるので、内部で球詰まりが発生したときでも開閉扉を開けて玉詰まりを解除できる。しかも、開放孔の方向（球抜棒の挿入方向）が遊技盤面に対し直角であるので、不正に針金等を開放孔から挿入してロックを解除することができない。つまり、防犯対策も良好である。
しかも、弁式のフラッパーソレノイドを採用しているので耐久性の問題の解決ができる。プランジャ式のソレノイドは摺動面を有しているのでその摺動面にはモリブデン等の磨耗対策が施してあるが時間の経過で摺動するのでこのモリブデンが剥離すると言う欠点を有している。これに対しフラッパー式ソレノイドは、摺動面がないので長期の使用に耐えられる長所を備えている。
【００１３】
請求項２の電動入賞装置においては、錘の働きにより開閉扉を開放位置に変位させる構成を採用しており、開閉扉が開放できる開放側に重錘を設けると抵抗が無いときは常時開放側になる、これをスプリングで行っても良いがスプリングの場合取付の手間がかかることと折損の懸念が考えられる。重錘であれば扉を成形段階でインサートで一気に製造ができてコスト的に良い結果となりうる。
また、開放孔に球抜棒を挿入して開放レバーを押せば開閉扉は自重で開放するので、例えば玉詰まりが発生したときに容易に開閉扉を開放して玉詰まりを解除できる。
【００１４】
次に、本発明の実施例を図面を参照して説明することにより、発明の実施の形態をより具体的に説明する。
尚、本発明の実施の形態は、後述する実施例になんら限定されるものではなく本発明の技術的範囲に属する限り種々の形態を採り得ることは言うまでもない。
【００１５】
【実施例】
図１に示すように、本実施例の弾球遊技機としてのパチンコ機１０は、外枠１２と内枠１４にて構成され、内枠１４は、上下のヒンジ１３により軸支されて外枠１２に対して開閉可能となっている。
内枠１４には金枠１７が開閉可能に装着されており、金枠１７を閉じた状態（図示の状態）では、金枠１７に保持されるガラス板１９によって遊技盤１１の前面側が覆われ、又その遊技盤１１には、誘導レール１８が敷設されている。
金枠１７の下方には、上皿１５が、内枠１４に対して開閉可能に装着されていて、上皿１５の上には満杯表示装置２４が設置されている。この満杯表示装置２４には、あらかじめ「下皿が満杯になっています」との文字が書かれていて、内部灯を点灯させるとこれらの文字が明瞭に現れ、消灯すれば判読できないようになる。
上皿１５の下方では、下皿１６が内枠１４に固定されている。
下皿１６の隣には所定の範囲で回動自在の操作レバー２１や発射停止スイッチ（図示略）を有する発射ハンドル２０が取り付けられている。なお操作レバー２１の周囲は導電性であってタッチスイッチ（図示略）を兼ねている。
遊技球２５の発射は、上皿１５に遊技球２５を投入して操作レバー２１を時計方向に回せば遊技球２５は遊技盤１１に発射される。
【００１６】
上皿１５には上球抜レバー２２が設けられておりこの上球抜レバー２２を操作すると上皿１５にある遊技球２５は詳細を図示しない通路を通って下皿１６に導くことができる。
下皿１６には下球抜レバー２３が付けられておりこの下球抜レバー２３を操作すれば下皿１６に保有している遊技球２５を抜き取ることができる。
図２は、パチンコ機１０に内蔵される遊技盤１１である。
遊技盤１１には、レールセット３１がはめ込まれ遊技盤面として基本構成の囲いとし、その内側には、公知の普通表示装置５９を備えた図柄表示装置２６を略中央に取り付け、その周囲には障害釘（一部図示）、電動入賞装置３２、大入賞装置２７、入賞口２８、通過チャッカー５８、風車２９、ランプ風車３０等が設置されて図柄表示装置２６の上部にはその内部を省略する天入賞口３４を備えている。
遊技盤１１の上部には、天釘３３が打ち込まれ天入賞口３４との間隔を矢印Ａと矢印Ｂとで最適の位置を保っている。
詳細を述べない遊技球２５を発射すれば遊技球２５は天釘３３に当り下方に落下するか又は、右方向に飛球する。
落下した遊技球２５は図示しない障害釘に当たって弾み、入賞口２８に入賞するか又はときどき通過チャッカー５８を通過して図示しないアウト口に至る。
【００１７】
図３は電動入賞装置３２の構造図である、（ａ）は正面図、（ｂ）は（ａ）のＸ、Ｘ’の断面図である。
電動入賞装置３２は筺体であるベース３９で各部品を擁している。
ベース３９は、取付孔３７が４個あって、この取付孔３７で遊技盤１１に取り付けられる（図２参照）。
ベース３９には、軸受４０と中央入賞口３５が一体成形になっていて、後部には下通路４５が設けてあり球センサー４６を擁している。
軸受４０には、開閉扉４１が回動軸４２で開閉自在に付けられており、その開閉扉４１の開放止４３に重錘３６が付けられているので、開閉扉４１に抵抗が無い限り重錘３６の重みで手前に開放状態になる。尚、開放止４３は、左右対象に設けてある。
開閉扉４１には、開放止４３が設けられているので一定の開放状態にしか開口することができない（図４（ｃ）参照）。
【００１８】
図３（ｂ）断面図は、ベース３９にフラッパーソレノイド４７が付けられていて、そのフラッパーソレノイド４７には、電磁板５０があって引バネ４９で開放方向に付勢されている。
電磁板５０には開放レバー４８と駆動レバー５１が設けられている。
中央入賞口３５に遊技球２５が入球すると点線で示したように上通路４４から下通路４５を経て球センサー４６を通り球出口５７に至って図示しない入賞検出装置で入賞を検出する。
開閉扉４１には、玉ラッチ５２が付けられており駆動レバー５１の先端でこの玉ラッチ５２を押し込んでいる。したがってフラッパーソレノイド４７に通電しない状態を示している。
通電をすると矢印Ｈ方向に移動して駆動レバー５１から玉ラッチ５２が外れて詳細を図４で述べる開閉扉４１が重錘３６の重みで開くこととなる。
【００１９】
図４は、電動入賞装置３２の作動状態の説明図で（ａ）、（ｂ）、（ｃ）の順序で説明するものである。
電動入賞装置３２に通電すると、（ａ）、（ｂ）、（ｃ）の順序で作動し、非通電にすると（ｃ）、（ｂ）、（ａ）の順序で開閉扉４１が動作をする。
より詳しく（ａ）の状態は、非通電の状態で駆動レバー５１の先端が開閉扉４１の回動軸４２を介して玉ラッチ５２を押し固定をしている。これは（ｃ）に示す駆動レバー５１の先端にラッチ溝５４が設けてあるので玉ラッチ５２がこのラッチ溝５４にはまっているから開閉扉４１を無理に開けようとしても開かないのである。
ここで通電をすると、（ｂ）に示すように駆動レバー５１が矢印Ｌ方向に働いて玉ラッチ５２より駆動レバー５１が外れる。すると、玉ラッチ５２は駆動レバーの下部に入り込んで開閉扉４１が自由になる、つまり重錘３６の重みで（ｃ）に示す状態に開閉扉４１が開放される。
開閉扉４１は、開放止４３が設けてあるので開放止４３の先端部がベース３９に当たって（ｃ）に示す以上に開かない。
非通電にしたときは、電磁板５０を引っ張る引バネ４９の力で駆動レバー５１の先端部が、玉ラッチ５２を（ｂ）に示すように矢印反Ｌ方向に押すので玉ラッチ５２が回動軸４２を支軸に回動下降し、開閉扉４１も同様に閉鎖方向に回動する。
次に、（ａ）に示すように開閉扉４１が閉鎖して玉ラッチ５２が駆動レバー５１の先端部のラッチ溝５４に入り込んで開閉扉４１を固定する。
【００２０】
図５は、図３（ａ）の左側面図で、手動で開放させる手順を示し、手動操作の説明をする図、（ａ）は静止図、（ｂ）は手動操作した図である。
電動入賞装置３２には中央に貫通する開放孔３８を設けた案内筒５６がベース３９に一体的に成形されている。
開放孔３８は、遊技場の店員が常時持っている玉抜棒６０を開放孔３８に挿入可能である。
開放孔３８に玉抜棒６０の先端を矢印Ｅ方向に挿入すれば、その先端が案内筒５６を通って開放レバー４８に衝突し更に押し込めば開放レバー４８を押すことができる。
したがって、開放レバー４８を押すことはフラッパーソレノイド４７に通電した状態と同じように開放レバー４８を作動させることができるので、開閉扉４１は自由に玉抜棒６０で開閉可能である。
開放レバー４８を手動での開放は、金枠１７が開放されたときのみ玉抜棒６０の挿入が可能であるが、金枠１７が閉鎖状態であると金枠１７にはめ込まれているガラス板１９との間隔が少ないので（およそ１９ミリメートル）、玉抜棒６０を挿入することができないと共に針金等で開放させることもできない。つまり、防犯効果が生まれる。
以上が本発明品である電動入賞装置３２の構造と作動状況並びに取扱の説明である。
次にこの発明品の優れた効果の説明をする。
【００２１】
【発明の効果】
本発明の電動入賞装置は、玉詰まりトラブルの対策が早くしかも簡単にできる。しかも、針金等で電動入賞装置を不正に開放させる不正行為を防止する。
【図面の簡単な説明】
【図１】  実施例の遊技機の正面斜視図である。
【図２】  実施例の遊技盤の正面図である。
【図３】  実施例の電動入賞装置の構造図で、（ａ）は正面図、（ｂ）は（ａ）のＸ、Ｘ’の断面図である。
【図４】  実施例の電動入賞装置の構造作動説明図で、（ａ）は静止図、（ｂ）は作動中の図で、（ｃ）は作動上死点の図である。
【図５】  実施例の手動操作の説明図で、（ａ）は静止図、（ｂ）は手動操作した図である。
【図６】  従来の遊技盤を示し、欠点の説明をする図である。
【符号の説明】
１０…パチンコ機、１１…遊技盤、１２…外枠、１３…ヒンジ、１４…内枠、１５…上皿、１６…下皿、１７…金枠、１８…誘導レール、１９…ガラス板、
２０…発射ハンドル、２１…操作レバー、２２…下球抜レバー、
２３…下球抜レバー、、２４…満杯表示装置、２５…遊技球、
２６…図柄表示装置、２７…大入賞装置、２８…入賞口、２９…風車、
３０…ランプ風車、３１…レールセット、３２…電動入賞装置、３３…天釘、
３４…天入賞口、３５…中央入賞口、３６…重錘、３７…取付孔、
３８…開放孔、３９…ベース、４０…軸受、４１…開閉扉、４２…回動軸、
４３…開放止、４４…上通路、４５…下通路、４６…球センサー、
４７…フラッパーソレノイド、４８…開放レバー、４９…引バネ、
５０…電磁板、５１…駆動レバー、５２…玉ラッチ、５４…ラッチ溝、
５６…案内筒、５７…球出口、５８…通過チャッカー、５９…普通表示装置、
６０…玉抜棒。
【図１】
0003706710.tif 000002
【図２】
0003706710.tif 000003
【図３】
0003706710.tif 000004
【図４】
0003706710.tif 000005
【図５】
0003706710.tif 000006
【図６】
0003706710.tif 000007